(57)【要約】      （修正有）【課題】合焦スピードが速く、高い結像性能を有するマクロレンズ及びそれを備えた撮像装置を提供する。【解決手段】マクロレンズは、物体側から順に、正屈折力の物体側レンズ群Ｇ１と、負屈折力の第１フォーカスレンズ群Ｇ２と、正屈折力の第２フォーカスレンズ群Ｇ３と、複数のレンズを有する後側レンズ群と、を有し、第１フォーカスレンズ群Ｇ２は、最遠距離物体合焦時の位置に対して、至近距離物体合焦時の位置が像側に位置し、第２フォーカスレンズ群Ｇ３は、最遠距離物体合焦時の位置に対して、至近距離物体合焦時の位置が物体側に位置し、第１フォーカスレンズ群Ｇ１は、最も物体側に正屈折力のレンズを有し、特定の式を満足する。【選択図】図１
2019164277.tif 000002
【特許請求の範囲】
【請求項１】
正屈折力を有する物体側レンズ群と、
負屈折力を有する第１フォーカスレンズ群と、
正屈折力を有する第２フォーカスレンズ群と、
複数のレンズを有する後側レンズ群と、を有し、
前記物体側レンズ群は、最も物体側に配置され、
前記第１フォーカスレンズ群は、前記物体側レンズ群よりも像側に配置され、
前記第２フォーカスレンズ群は、前記第１フォーカスレンズ群よりも像側に配置され、
合焦時、前記物体側レンズ群は固定され、
前記第１フォーカスレンズ群は、最遠距離物体合焦時の位置に対して、至近距離物体合焦時の位置が像側に位置し、
前記第２フォーカスレンズ群は、最遠距離物体合焦時の位置に対して、至近距離物体合焦時の位置が物体側に位置し、
前記第１フォーカスレンズ群は、最も物体側に正屈折力のレンズを有し、
以下の条件式（１）、（２）を満足することを特徴とするマクロレンズ。
２＜ＬＥＥ／Δfo1G＜１５      （１）
２＜ＬＥＥ／Δfo2G＜１５      （２）
ここで、
Δfo1Gは、前記第１フォーカスレンズ群における所定の差の絶対値、
Δfo2Gは、前記第２フォーカスレンズ群における所定の差の絶対値、
ＬＥＥは、最遠距離物体合焦時における前記マクロレンズの最も物体側のレンズ面から最も像側のレンズ面までの距離、
前記所定の差は、最遠距離物体合焦時と至近距離物体合焦時での位置の差、
である。
【請求項２】
前記後側レンズ群は、正屈折力を有する像側レンズ群と、負屈折力を有するブレ補正レンズ群と、を有し、
前記像側レンズ群は、最も像側に配置され、
合焦時、前記像側レンズ群は固定され、
前記ブレ補正レンズ群は、光軸に対して垂直な方向に移動して像ブレを補正することを特徴とする請求項１に記載のマクロレンズ。
【請求項３】
前記物体側レンズ群は、４枚のレンズからなり、
前記４枚のレンズは、物体側から像側に順に、正屈折力の単レンズと、第１接合レンズと、正屈折力の単レンズと、からなり、
前記第１接合レンズでは、正屈折力の単レンズと負屈折力の単レンズとが接合されていることを特徴とする請求項１又は２に記載のマクロレンズ。
【請求項４】
前記物体側レンズ群は、５枚のレンズからなり、
前記５枚のレンズは、物体側から像側に順に、負屈折力の単レンズと、正屈折力の単レンズと、第１接合レンズと、正屈折力の単レンズと、からなり、
前記第１接合レンズでは、正屈折力の単レンズと負屈折力の単レンズとが接合されていることを特徴とする請求項１又は２に記載のマクロレンズ。
【請求項５】
前記第１フォーカスレンズ群は、３枚以下のレンズからなり、
前記３枚以下のレンズは、負屈折力の単レンズと、正屈折力の単レンズと、を有することを特徴とする請求項１から４の何れか一項に記載のマクロレンズ。
【請求項６】
前記第１フォーカスレンズ群は、３枚のレンズからなり、
前記３枚のレンズは、第２接合レンズと、負屈折力の単レンズと、からなり、
前記第２接合レンズでは、正屈折力の単レンズと負屈折力の単レンズとが接合されていることを特徴とする請求項５に記載のマクロレンズ。
【請求項７】
前記第１フォーカスレンズ群は、３枚以下のレンズからなり、
前記３枚以下のレンズでは、最も物体側に第２接合レンズが配置され、
前記第２接合レンズでは、物体側に正屈折力の単レンズが配置され、像側に負屈折力の単レンズが配置されていることを特徴とする請求項５に記載のマクロレンズ。
【請求項８】
前記第２フォーカスレンズ群は、３枚以下のレンズからなり、
前記３枚以下のレンズは、第３接合レンズを有し、
前記第３接合レンズは、負屈折力の単レンズと、正屈折力の単レンズと、からなることを特徴とする請求項１から７の何れか一項に記載のマクロレンズ。
【請求項９】
前記第２フォーカスレンズ群は、前記第３接合レンズと、正屈折力の単レンズと、からなることを特徴とする請求項８に記載のマクロレンズ。
【請求項１０】
前記第２フォーカスレンズ群と前記ブレ補正レンズ群との間に、ウォブリングレンズ群を有し、
前記ウォブリングレンズ群は、負屈折力の単レンズからなると共に、所定の範囲を光軸に沿って振動し、
前記所定の範囲は、前記第１フォーカスレンズ群の移動範囲と前記第２フォーカスレンズ群の移動範囲の双方よりも狭い範囲であることを特徴とする請求項１から９の何れか一項に記載のマクロレンズ。
【請求項１１】
前記ブレ補正レンズ群は、第４接合レンズと、前記第４接合レンズの像側に配置された負屈折力の単レンズと、からなり、
前記第４接合レンズでは、物体側に正屈折力の単レンズが配置され、像側に負屈折力の単レンズが配置されていることを特徴とする請求項２又は１０に記載のマクロレンズ。
【請求項１２】
前記像側レンズ群は、３枚のレンズからなり、
前記３枚のレンズは、正屈折力の単レンズと、第５接合レンズと、からなり、
前記第５接合レンズでは、物体側に正屈折力の単レンズが配置され、像側に負屈折力の単レンズが配置されていることを特徴とする請求項２、１０、１１の何れか一項に記載のマクロレンズ。
【請求項１３】
前記像側レンズ群は、２枚のレンズからなり、
前記２枚のレンズは、共に、正屈折力の単レンズであることを特徴とする請求項２、１０、１１の何れか一項に記載のマクロレンズ。
【請求項１４】
前記第１フォーカスレンズ群と前記第２フォーカスレンズ群との間に、位置が固定の開口絞りが配置され、
前記開口絞りでは、開口の大きさが可変であることを特徴とする請求項１から１３の何れか一項に記載のマクロレンズ。
【請求項１５】
以下の条件式（３）を満足することを特徴とする請求項１から１４の何れか一項に記載のマクロレンズ。
−２．０＜ＦＬfo1G／ＦＬfo1Gp＜−０．０１      （３）
ただし、
ΔＦＬfo1Gは、前記第１フォーカスレンズ群の焦点距離、
ΔＦＬfo1Gpは、所定の正レンズの焦点距離、
前記所定の正レンズは、前記第１フォーカスレンズ群において最も物体側に位置する正レンズ、
である。
【請求項１６】
以下の条件式（４）を満足することを特徴とする請求項１から１５の何れか一項に記載のマクロレンズ。
１．７＜Ｎｄfo1Gp＜２．１      （４）
ただし、
Ｎｄfo1Gpは、所定の正レンズの屈折率、
前記所定の正レンズは、前記第１フォーカスレンズ群において最も物体側に位置する正レンズ、
である。
【請求項１７】
以下の条件式（５）を満足することを特徴とする請求項１から１６の何れか一項に記載のマクロレンズ。
１５＜νｄfo1Gp＜３５      （５）
ただし、
νｄfo1Gpは、所定のレンズのアッベ数、
前記所定の正レンズは、前記第１フォーカスレンズ群において最も物体側に位置する正レンズ、
である。
【請求項１８】
光学系と、
撮像面を持ち、且つ前記光学系により撮像面上に形成された像を電気信号に変換する撮像素子と、を有し、
前記光学系が請求項１から１７の何れか一項に記載のマクロレンズであることを特徴とする撮像装置。
【発明の詳細な説明】
【技術分野】
【０００１】
本発明は、マクロレンズ及びそれを備えた撮像装置に関する。
【背景技術】
【０００２】
光学系の全長が一定で、良好な結像性能を持つマクロレンズが、特許文献１〜８に開示されている。これらのマクロレンズでは、無限遠物体から至近距離物体まで合焦が可能である。ここでの至近距離とは、マクロ領域における距離である。マクロ領域とは、例えば、撮影倍率が等倍となる領域、又は、撮影倍率が等倍付近となる領域である。
【０００３】
特許文献１には、６つのレンズ群を有するマクロレンズが開示されている。マクロレンズは、物体側から順に、正屈折力を有するレンズ群と、負屈折力を有するレンズ群と、正屈折力を有するレンズ群と、負屈折力を有するレンズ群と、負屈折力を有するレンズ群と、正屈折力を有するレンズ群と、を有する。
【０００４】
特許文献２には、５つのレンズ群を有するマクロレンズが開示されている。マクロレンズは、物体側から順に、正屈折力を有するレンズ群と、負屈折力を有するレンズ群と、正屈折力を有するレンズ群と、正屈折力を有するレンズ群と、負屈折力を有するレンズ群と、を有する。
【０００５】
特許文献３、８には、６つのレンズ群を有するマクロレンズが開示されている。マクロレンズは、物体側から順に、正屈折力を有するレンズ群と、負屈折力を有するレンズ群と、正屈折力を有するレンズ群と、正屈折力を有するレンズ群と、負屈折力を有するレンズ群と、正屈折力を有するレンズ群と、を有する。
【０００６】
特許文献４には、５つのレンズ群を有するマクロレンズが開示されている。マクロレンズは、物体側から順に、正屈折力を有するレンズ群と、負屈折力を有するレンズ群と、正屈折力を有するレンズ群と、負屈折力を有するレンズ群と、正屈折力を有するレンズ群と、を有する。
【０００７】
特許文献５、６には、４つのレンズ群を有するマクロレンズが開示されている。マクロレンズは、物体側から順に、正屈折力を有するレンズ群と、負屈折力を有するレンズ群と、正屈折力を有するレンズ群と、負屈折力を有するレンズ群と、を有する。
【０００８】
特許文献７には、６つのレンズ群を有するマクロレンズが開示されている。マクロレンズは、物体側から順に、正屈折力を有するレンズ群と、負屈折力を有するレンズ群と、正屈折力を有するレンズ群と、負屈折力を有するレンズ群と、正屈折力を有するレンズ群と、負屈折力を有するレンズ群と、を有する。
【先行技術文献】
【特許文献】
【０００９】
【特許文献１】特許第５５５８２８１号公報
【特許文献２】特許第５７８６２６５号公報
【特許文献３】特許第５１４２８２３号公報
【特許文献４】特許第５２２９６１４号公報
【特許文献５】特許第５４２３６５６号公報
【特許文献６】特許第５７９０１０６号公報
【特許文献７】特許第５６７５３９７号公報
【特許文献８】特許第５８４８０９９号公報
【発明の概要】
【発明が解決しようとする課題】
【００１０】
マクロレンズでは、無限遠からマクロ領域までの間で、物体に合焦させる必要がある。そのため、マクロレンズでは、フォーカスレンズ群の移動量が大きくなりやすい。その結果、合焦速度が遅くなりやすい。
【００１１】
合焦速度を速めるためには、フォーカスレンズ群の軽量化と、無限遠からマクロ領域までの間で、合焦時における高い結像性能の維持が求められる。引用文献１〜８に開示されたマクロレンズでは、フォーカスレンズ群の軽量化と、合焦時における高い結像性能の維持が両立されているとは言えない。
【００１２】
本発明は、このような課題に鑑みてなされたものであって、合焦スピードが速く、高い結像性能を有するマクロレンズ及びそれを備えた撮像装置を提供することを目的とする。
【課題を解決するための手段】
【００１３】
上述した課題を解決し、目的を達成するために、本発明の少なくとも幾つかの実施形態に係るマクロレンズは、
正屈折力を有する物体側レンズ群と、
負屈折力を有する第１フォーカスレンズ群と、
正屈折力を有する第２フォーカスレンズ群と、
複数のレンズを有する後側レンズ群と、を有し、
物体側レンズ群は、最も物体側に配置され、
第１フォーカスレンズ群は、物体側レンズ群よりも像側に配置され、
第２フォーカスレンズ群は、第１フォーカスレンズ群よりも像側に配置され、
合焦時、物体側レンズ群は固定され、
第１フォーカスレンズ群は、最遠距離物体合焦時の位置に対して、至近距離物体合焦時の位置が像側に位置し、
第２フォーカスレンズ群は、最遠距離物体合焦時の位置に対して、至近距離物体合焦時の位置が物体側に位置し、
第１フォーカスレンズ群は、最も物体側に正屈折力のレンズを有し、
以下の条件式（１）、（２）を満足することを特徴とする。
２＜ＬＥＥ／Δfo1G＜１５      （１）
２＜ＬＥＥ／Δfo2G＜１５      （２）
ここで、
Δfo1Gは、第１フォーカスレンズ群における所定の差の絶対値、
Δfo2Gは、第２フォーカスレンズ群における所定の差の絶対値、
ＬＥＥは、最遠距離物体合焦時におけるマクロレンズの最も物体側のレンズ面から最も像側のレンズ面までの距離、
所定の差は、最遠距離物体合焦時と至近距離物体合焦時での位置の差、
である。
【００１４】
本発明の少なくとも幾つかの実施形態に係る撮像装置は、
光学系と、
撮像面を持ち、且つ光学系により撮像面上に形成された像を電気信号に変換する撮像素子と、を有し、
光学系が上述のマクロレンズであることを特徴とする。
【発明の効果】
【００１５】
本発明によれば、合焦スピードが速く、高い結像性能を有するマクロレンズ及びそれを備えた撮像装置を提供することができる。
【図面の簡単な説明】
【００１６】
【図１】実施例１に係るマクロレンズのレンズ断面図である。
【図２】実施例２に係るマクロレンズのレンズ断面図である。
【図３】実施例３に係るマクロレンズのレンズ断面図である。
【図４】実施例４に係るマクロレンズのレンズ断面図である。
【図５】実施例５に係るマクロレンズのレンズ断面図である。
【図６】実施例６に係るマクロレンズのレンズ断面図である。
【図７】実施例７に係るマクロレンズのレンズ断面図である。
【図８】実施例８に係るマクロレンズのレンズ断面図である。
【図９】実施例９に係るマクロレンズのレンズ断面図である。
【図１０】実施例１０に係るマクロレンズのレンズ断面図である。
【図１１】実施例１１に係るマクロレンズのレンズ断面図である。
【図１２】実施例１に係るマクロレンズのレンズ収差図である。
【図１３】実施例２に係るマクロレンズのレンズ収差図である。
【図１４】実施例３に係るマクロレンズのレンズ収差図である。
【図１５】実施例４に係るマクロレンズのレンズ収差図である。
【図１６】実施例５に係るマクロレンズのレンズ収差図である。
【図１７】実施例６に係るマクロレンズのレンズ収差図である。
【図１８】実施例７に係るマクロレンズのレンズ収差図である。
【図１９】実施例８に係るマクロレンズのレンズ収差図である。
【図２０】実施例９に係るマクロレンズのレンズ収差図である。
【図２１】実施例１０に係るマクロレンズのレンズ収差図である。
【図２２】実施例１１に係るマクロレンズのレンズ収差図である。
【図２３】撮像装置の断面図である。
【図２４】撮像装置の前方斜視図である。
【図２５】撮像装置の後方斜視図である。
【図２６】撮像装置の主要部の内部回路の構成ブロック図である。
【発明を実施するための形態】
【００１７】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１８】
本実施形態のマクロレンズは、正屈折力を有する物体側レンズ群と、負屈折力を有する第１フォーカスレンズ群と、正屈折力を有する第２フォーカスレンズ群と、複数のレンズを有する後側レンズ群と、を有し、物体側レンズ群は、最も物体側に配置され、第１フォーカスレンズ群は、物体側レンズ群よりも像側に配置され、第２フォーカスレンズ群は、第１フォーカスレンズ群よりも像側に配置され、合焦時、物体側レンズ群は固定され、第１フォーカスレンズ群は、最遠距離物体合焦時の位置に対して、至近距離物体合焦時の位置が像側に位置し、第２フォーカスレンズ群は、最遠距離物体合焦時の位置に対して、至近距離物体合焦時の位置が物体側に位置し、第１フォーカスレンズ群は、最も物体側に正屈折力のレンズを有し、以下の条件式（１）、（２）を満足する。
２＜ＬＥＥ／Δfo1G＜１５      （１）
２＜ＬＥＥ／Δfo2G＜１５      （２）
ここで、
Δfo1Gは、第１フォーカスレンズ群における所定の差の絶対値、
Δfo2Gは、第２フォーカスレンズ群における所定の差の絶対値、
ＬＥＥは、最遠距離物体合焦時におけるマクロレンズの最も物体側のレンズ面から最も像側のレンズ面までの距離、
所定の差は、最遠距離物体合焦時と至近距離物体合焦時での位置の差、
である。
【００１９】
本実施形態のマクロレンズでは、合焦時、物体側レンズ群は固定されている。物体側レンズ群は最も物体側に位置する。この場合、光学系の物体側に位置するレンズ群が固定されているので、ゴミや埃の光学系内への侵入を防止できる。
【００２０】
また、このようにすると、例えば、動画撮影時の合焦動作の駆動音の漏れを少なくできる。よって、物体側レンズ群を固定することは、音ノイズの低減に有利となる。
【００２１】
また、合焦時に最も物体側に位置するレンズ群が移動すると、被写体（物体）とレンズ群とが接触したり、衝突したりする。特にマクロ撮影では、被写体との距離が短いので、被写体との接触や衝突が生じ易い。物体側レンズ群を固定することで、光学系の全長が常に一定となる。そのため、合焦時の被写体との接触や衝突を防止できる。
【００２２】
物体側レンズ群は、ウォブリング時やブレ補正時も、固定されていると良い。
【００２３】
本実施形態のマクロレンズは、第１フォーカスレンズ群と、第２フォーカスレンズ群と、を有する。フォーカスレンズ群を複数備えることで、至近距離撮影時での倍率（絶対値）を高めつつ、光学系の全長が短縮し易くなる。
【００２４】
負屈折力の第１フォーカスレンズ群には、軽量化と合焦時の収差変動の低減の両立が求められる。第１フォーカスレンズ群は、最も物体側に正屈折力のレンズを有する。また、第１フォーカスレンズ群の屈折力は負屈折力であるので、第１フォーカスレンズ群は負屈折力のレンズを有する。このように、第１フォーカスレンズ群が正屈折力のレンズと負屈折力のレンズを含むことは、収差の低減に有利となる。
【００２５】
第１フォーカスレンズ群では、最も物体側に位置するレンズの径が大きくなりやすい。そこで、最も物体側に位置するレンズを正屈折力のレンズとすることで、最も物体側に位置するレンズの体積を小さくできる。このようにすることは、第１フォーカスレンズ群の軽量化に有利となる。また、第１フォーカスレンズ群の軽量化ができるので、合焦スピードを速められる。
【００２６】
第２フォーカスレンズ群よりも像側には、後側レンズ群が配置されている。後側レンズ群は、複数のレンズを有している。このようにすることは、収差の低減に有利となる。
【００２７】
条件式（１）は、第１フォーカスレンズ群の好ましい移動量を特定する条件式である。条件式（２）は、第２フォーカスレンズ群の好ましい移動量を特定する条件式である。
【００２８】
値が条件式（１）の下限値と条件式（２）の下限値を共に下回らない場合、第１フォーカスレンズ群の移動量の増大と、第２フォーカスレンズ群の移動量の増大を、共に抑制できる。その結果、マクロレンズの全長を短縮できると共に、第１フォーカスレンズ群の移動で生じる収差変動や、第２フォーカスレンズ群の移動で生じる収差変動を、共に抑制し易くなる。
【００２９】
値が条件式（１）の上限値と条件式（２）の上限値を共に上回らない場合、第１フォーカスレンズ群の移動量と、第２フォーカスレンズ群の移動量を、共に確保できる。そのため、至近距離物体合焦時のマクロレンズの全長を短縮できる。
【００３０】
条件式（１）、（２）の双方を同時に満足することで、収差変動を抑えつつ、マクロレンズを小型化できる。
【００３１】
本実施形態のマクロレンズでは、後側レンズ群は、正屈折力を有する像側レンズ群と、負屈折力を有するブレ補正レンズ群と、を有し、像側レンズ群は、最も像側に配置され、合焦時、像側レンズ群は固定され、ブレ補正レンズ群は、光軸に対して垂直な方向に移動して像ブレを補正することが好ましい。
【００３２】
上述のように、合焦時、物体側レンズ群は固定されている。そのため、合焦時に像側レンズ群が固定されることで、光学系の両側に位置するレンズ群が固定されている。その結果、これらのレンズ群で光学系を密閉することができる。そのため、ゴミや埃の光学系内への侵入を、より効果的に防止できる。
【００３３】
また、このようにすると、例えば、動画撮影時の合焦動作の駆動音の漏れを、更に少なくできる。よって、物体側レンズ群と像側レンズ群を固定することは、音ノイズの更なる低減に有利となる。
【００３４】
以下、本実施形態のマクロレンズについて更に説明する。
【００３５】
本実施形態のマクロレンズでは、物体側レンズ群は、４枚のレンズからなり、４枚のレンズは、物体側から像側に順に、正屈折力の単レンズと、第１接合レンズと、正屈折力の単レンズと、からなり、第１接合レンズでは、正屈折力の単レンズと負屈折力の単レンズとが接合されているが好ましい。
【００３６】
このようにすることで、物体側レンズ群にて、大きい正屈折力を確保しつつ、最遠距離物体合焦時と至近距離物体合焦時の双方において、諸収差を低減できる。物体側レンズ群が複数のレンズを備えることで、物体側レンズ群での光線の屈折を緩やかにできるので、収差の発生を抑制できる。更に、第１接合レンズで、色収差を効果的に補正できる。
【００３７】
本実施形態のマクロレンズでは、物体側レンズ群は、５枚のレンズからなり、５枚のレンズは、物体側から像側に順に、負屈折力の単レンズと、正屈折力の単レンズと、第１接合レンズと、正屈折力の単レンズと、からなり、第１接合レンズでは、正屈折力の単レンズと負屈折力の単レンズとが接合されていることが好ましい。
【００３８】
上述のように、物体側レンズ群は４枚のレンズで構成できるが、更に、負屈折力の単レンズを追加しても良い。追加した負屈折力の単レンズは、物体側レンズ群において最も物体側に配置する。この負屈折力の単レンズの位置を調整することで、製造誤差による影響、例えば、片ボケを低減できる。負屈折力の単レンズは、製造誤差による影響が最小となる位置で固定すれば良い。
【００３９】
本実施形態のマクロレンズでは、第１フォーカスレンズ群は、３枚以下のレンズからなり、３枚以下のレンズは、負屈折力の単レンズと、正屈折力の単レンズと、を有することが好ましい。
【００４０】
第１フォーカスレンズ群には、軽量化と合焦動作時の収差変動の低減の両立が求められる。第１フォーカスレンズを３枚以下のレンズで構成すると共に、負屈折力の単レンズと正屈折力の単レンズを含むことは、第１フォーカスレンズ群の軽量化と、第１フォーカスレンズ群における収差変動の低減に有利となる。
【００４１】
本実施形態のマクロレンズでは、第１フォーカスレンズ群は、３枚のレンズからなり、３枚のレンズは、第２接合レンズと、負屈折力の単レンズと、からなり、第２接合レンズでは、正屈折力の単レンズと負屈折力の単レンズとが接合されていることが好ましい。
【００４２】
第２接合レンズと負屈折力の単レンズとで第１フォーカスレンズ群を構成することは、収差の低減に有利となる。第２接合レンズは、物体側から順に、正屈折力の単レンズと、負屈折力の単レンズと、からなるか、又は、負屈折力の単レンズと、正屈折力の単レンズと、からなる。
【００４３】
本実施形態のマクロレンズでは、第１フォーカスレンズ群は、３枚以下のレンズからなり、３枚以下のレンズでは、最も物体側に第２接合レンズが配置され、第２接合レンズでは、物体側に正屈折力の単レンズが配置され、像側に負屈折力の単レンズが配置されていることが好ましい。
【００４４】
第１フォーカスレンズ群の最も物体側の位置では、レンズの径が大きくなりやすい。そこで、最も物体側のレンズを正屈折力の単レンズとすることで、最も物体側に位置するレンズの体積を小さくできる。よって、このようにすることは、第１フォーカスレンズ群の軽量化に有利となる。
【００４５】
第１フォーカスレンズ群は、第２接合レンズと、負屈折力の単レンズと、からなるか、又は、第２接合レンズのみからなる。
【００４６】
本実施形態のマクロレンズでは、第２フォーカスレンズ群は、３枚以下のレンズからなり、３枚以下のレンズは、第３接合レンズを有し、第３接合レンズは、負屈折力の単レンズと、正屈折力の単レンズと、からなることが好ましい。
【００４７】
このようにすることは、第２フォーカスレンズ群における収差補正効果の向上と第２フォーカスレンズ群の軽量化の両立に有利となる。
【００４８】
本実施形態のマクロレンズでは、第２フォーカスレンズ群は、第３接合レンズと、正屈折力の単レンズと、からなることが好ましい。
【００４９】
このようにすることは、第２フォーカスレンズ群の収差補正と第２フォーカスレンズ群の軽量化の両立に有利となる。
【００５０】
本実施形態のマクロレンズは、第２フォーカスレンズ群とブレ補正レンズ群との間に、ウォブリングレンズ群を有し、ウォブリングレンズ群は、負屈折力の単レンズからなると共に、所定の範囲を光軸に沿って振動し、所定の範囲は、第１フォーカスレンズ群の移動範囲と第２フォーカスレンズ群の移動範囲の双方よりも狭い範囲であることが好ましい。
【００５１】
ウォブリングレンズ群に負屈折力の単レンズを用いることで、ウォブリングレンズ群としての役割を果たしつつ、ウォブリングレンズ群を軽量化できる。
【００５２】
本実施形態のマクロレンズでは、ブレ補正レンズ群は、第４接合レンズと、第４接合レンズの像側に配置された負屈折力の単レンズと、からなり、第４接合レンズでは、物体側に正屈折力の単レンズが配置され、像側に負屈折力の単レンズが配置されていることが好ましい。
【００５３】
ブレ補正レンズ群は、光軸と垂直な方向に移動する。そのため、ブレ補正レンズ群は、軽量であることが好ましい。ブレ補正レンズ群に第４接合レンズと負屈折力の単レンズを用いることは、ブレ補正レンズ群の軽量化と適切なブレ補正感度の確保に有利となるだけでなく、収差の低減にも有利となる。
【００５４】
本実施形態のマクロレンズでは、像側レンズ群は、３枚のレンズからなり、３枚のレンズは、正屈折力の単レンズと、第５接合レンズと、からなり、第５接合レンズでは、物体側に正屈折力の単レンズが配置され、像側に負屈折力の単レンズが配置されることが好ましい。
【００５５】
本実施形態のマクロレンズでは、像側レンズ群は、２枚のレンズからなり、２枚のレンズは、共に、正屈折力の単レンズであることが好ましい。
【００５６】
像側レンズ群が複数のレンズを備えることで、像側レンズ群での軸外光線を少しずつ屈折させることができる。このようにすることは、像側にテレセントリックなマクロレンズの実現に有利となる。テレセントリックな光学系では、撮像素子への入射角度を小さくできる。よって、マクロレンズを像側にテレセントリックな光学系にすることは、色シェーディングの低減に有利となる。
【００５７】
本実施形態のマクロレンズでは、第１フォーカスレンズ群と第２フォーカスレンズ群との間に、位置が固定の開口絞りが配置され、開口絞りでは、開口の大きさが可変であることが好ましい。
【００５８】
このようにすると、マクロレンズのほぼ中心に、開口絞りが配置される。よって、Ｆナンバーを小さくしても、マクロレンズの全体的な大型化を抑え易い。
【００５９】
本実施形態のマクロレンズは、以下の条件式（３）を満足することが好ましい。
−２．０＜ＦＬfo1G／ＦＬfo1Gp＜−０．０１      （３）
ただし、
ΔＦＬfo1Gは、第１フォーカスレンズ群の焦点距離、
ΔＦＬfo1Gpは、所定の正レンズの焦点距離、
所定の正レンズは、第１フォーカスレンズ群において最も物体側に位置する正レンズ、
である。
【００６０】
条件式（３）は、所定の正レンズの好ましい焦点距離を特定する条件式である。所定の正レンズは、第１フォーカスレンズ群において最も物体側に位置する正レンズである。
【００６１】
値が条件式（３）の下限値を下回らない場合、所定の正レンズの屈折力が大きくなりすぎないようにできる。この場合、第１フォーカスレンズ群の軸上方向の厚みを低減し易くなるので、高速で第１フォーカスレンズ群が移動できる。値が条件式（３）の下限値を下回らないことは、合焦動作の高速化に有利となる。
【００６２】
値が条件式（３）の上限値を上回らない場合、所定の正レンズの屈折力を十分に確保できる。そのため、所定の正レンズの収差補正効果を高められる。値が条件式（３）の上限値を上回らないことは、収差の低減に有利となる。
【００６３】
本実施形態のマクロレンズは、以下の条件式（４）を満足することが好ましい。
１．７＜Ｎｄfo1Gp＜２．１      （４）
ただし、
Ｎｄfo1Gpは、所定の正レンズの屈折率、
所定の正レンズは、第１フォーカスレンズ群において最も物体側に位置する正レンズ、
である。
【００６４】
値が条件式（４）の下限値を下回らない場合、十分な収差補正機能を、所定の正レンズにおいて確保できる。値が条件式（４）の上限値を上回らない場合、収差補正に使用できる硝材の選択肢が増える。そのため、収差を良好に補正できる。
【００６５】
本実施形態のマクロレンズは、以下の条件式（５）を満足することが好ましい。
１５＜νｄfo1Gp＜３５      （５）
ただし、
νｄfo1Gpは、所定のレンズのアッベ数、
所定の正レンズは、第１フォーカスレンズ群において最も物体側に位置する正レンズ、
である。
【００６６】
値が条件式（５）の下限値を下回らない場合、収差補正に使用できる硝材の選択肢が増える。そのため、収差を良好に補正できる。値が条件式（５）の上限値を上回らない場合、色収差をキャンセルする機能を、所定の正レンズに十分に持たせられる。
【００６７】
本実施形態の撮像装置は、光学系と、撮像面を持ち、且つ光学系により撮像面上に形成された像を電気信号に変換する撮像素子と、を有し、光学系が上述の実施形態のマクロレンズであることを特徴とする。
【００６８】
本実施形態の撮像装置によれば、小型な装置でありながら、ブレのない高画質の画像を取得できる。
【００６９】
上述の構成は相互に複数を同時に満足することがより好ましい。また、一部の構成を同時に満足するようにしてもよい。例えば、上述のマクロレンズの何れかにて、上述の他のマクロレンズの何れかを用いるようにしてもよい。
【００７０】
条件式については、それぞれの条件式を個別に満足させるようにしても良い。このようにすると、それぞれの効果を得やすくなるので好ましい。
【００７１】
各条件式について、以下のように下限値、または上限値を変更しても良い、このようにすることで、各条件式の効果を一層確実にできるので好ましい。
条件式（１）について、以下の通りである。
下限値を４．０、更には６．０とすることがより好ましい。
上限値を１３、更には１１とすることがより好ましい。
条件式（２）について、以下の通りである。
下限値を３．０、更には４．０とすることがより好ましい。
上限値を１３、更には１０とすることがより好ましい。
条件式（３）について
下限値を−１．５、更には−１．０とすることがより好ましい。
上限値を−０．１、更には−０．２とすることがより好ましい。
条件式（４）について
下限値を１．７５、更には１．７８とすることがより好ましい。
上限値を２．０５、更には２．０することがより好ましい。
条件式（５）について
下限値を１６、更には１７とすることがより好ましい。
上限値を３０、更には２７とすることがより好ましい。
【００７２】
以下に、マクロレンズの実施例を、図面に基づいて詳細に説明する。なお、この実施例によりこの発明が限定されるものではない。
【００７３】
各実施例のレンズ断面図は、無限遠物体合焦時におけるレンズ断面図を示している。
【００７４】
各実施例の収差図について説明する。（ａ）は 無限遠物体合焦時の球面収差（ＳＡ）、（ｂ）は 無限遠物体合焦時の非点収差（ＡＳ）、（ｃ）は 無限遠物体合焦時の歪曲収差（ＤＴ）、（ｄ）は 無限遠物体合焦時の倍率色収差（ＣＣ）を示している。
【００７５】
（ｅ）は第１至近距離物体合焦時の球面収差（ＳＡ）、（ｆ）は第１至近距離物体合焦時の非点収差（ＡＳ）、（ｇ）は第１至近距離物体合焦時の歪曲収差（ＤＴ）、（ｈ）は第１至近距離物体合焦時の倍率色収差（ＣＣ）を示している。
【００７６】
（ｉ）は第２至近距離物体合焦時の球面収差（ＳＡ）、（ｊ）は第２至近距離物体合焦時の非点収差（ＡＳ）、（ｋ）は第２至近距離物体合焦時の歪曲収差（ＤＴ）、（ｌ）は第２至近距離物体合焦時の倍率色収差（ＣＣ）を示している。
【００７７】
第１至近距離物体合焦時は、撮影倍率が０．５倍となる位置の物体に合焦した時、第２至近距離物体合焦時は、撮影倍率が１倍となる位置の物体に合焦した時である。
【００７８】
第１レンズ群はＧ１、第２レンズ群はＧ２、第３レンズ群はＧ３、第４レンズ群はＧ４、第５レンズ群はＧ５、第６レンズ群はＧ６、第７レンズ群はＧ７、開口絞りはＳ、像面（撮像面）はＩで示してある。
【００７９】
実施例１のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【００８０】
第１レンズ群Ｇ１は、両凸正レンズＬ１と、物体側に凸面を向けた正メニスカスレンズＬ２と、像側に凸面を向けた負メニスカスレンズＬ３と、両凸正レンズＬ４と、で構成されている。
【００８１】
第２レンズ群Ｇ２は、像側に凸面を向けた正メニスカスレンズＬ５と、両凹負レンズＬ６と、で構成されている。ここで、正メニスカスレンズＬ５と両凹負レンズＬ６とが接合されている。
【００８２】
第３レンズ群Ｇ３は、両凸正レンズＬ７と、両凸正レンズＬ８と、両凹負レンズＬ９と、で構成されている。ここで、両凸正レンズＬ８と両凹負レンズＬ９とが接合されている。
【００８３】
第４レンズ群Ｇ４は、物体側に凸面を向けた負メニスカスレンズＬ１０で構成されている。
【００８４】
第５レンズ群Ｇ５は、両凸正レンズＬ１１と、両凹負レンズＬ１２と、両凹負レンズＬ１３と、で構成されている。ここで、両凸正レンズＬ１１と両凹負レンズＬ１２とが接合されている。
【００８５】
第６レンズ群Ｇ６は、両凸正レンズＬ１４と、物体側に凸面を向けた正メニスカスレンズＬ１５と、で構成されている。
【００８６】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【００８７】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【００８８】
実施例２のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【００８９】
第１レンズ群Ｇ１は、両凸正レンズＬ１と、両凸正レンズＬ２と、両凹負レンズＬ３と、物体側に凸面を向けた正メニスカスレンズＬ４と、で構成されている。
【００９０】
第２レンズ群Ｇ２は、両凸正レンズＬ５と、両凹負レンズＬ６と、両凹負レンズＬ７と、で構成されている。ここで、両凸正レンズＬ５と両凹負レンズＬ６とが接合されている。
【００９１】
第３レンズ群Ｇ３は、両凸正レンズＬ８と、両凸正レンズＬ９と、両凹負レンズＬ１０と、で構成されている。ここで、両凸正レンズＬ９と両凹負レンズＬ１０とが接合されている。
【００９２】
第４レンズ群Ｇ４は、物体側に凸面を向けた負メニスカスレンズＬ１１で構成されている。
【００９３】
第５レンズ群Ｇ５は、両凸正レンズＬ１２と、両凹負レンズＬ１３と、両凹負レンズＬ１４と、で構成されている。ここで、両凸正レンズＬ１２と両凹負レンズＬ１３とが接合されている。
【００９４】
第６レンズ群Ｇ６は、両凸正レンズＬ１５と、両凸正レンズＬ１６と、で構成されている。
【００９５】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【００９６】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【００９７】
実施例３のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【００９８】
第１レンズ群Ｇ１は、両凸正レンズＬ１と、両凸正レンズＬ２と、両凹負レンズＬ３と、物体側に凸面を向けた正メニスカスレンズＬ４と、で構成されている。ここで、両凸正レンズＬ２と両凹負レンズＬ３とが接合されている。
【００９９】
第２レンズ群Ｇ２は、像側に凸面を向けた正メニスカスレンズＬ５と、両凹負レンズＬ６と、で構成されている。ここで、正メニスカスレンズＬ５と両凹負レンズＬ６とが接合されている。
【０１００】
第３レンズ群Ｇ３は、両凸正レンズＬ７と、両凸正レンズＬ８と、両凹負レンズＬ９と、で構成されている。ここで、両凸正レンズＬ８と両凹負レンズＬ９とが接合されている。
【０１０１】
第４レンズ群Ｇ４は、物体側に凸面を向けた負メニスカスレンズＬ１０で構成されている。
【０１０２】
第５レンズ群Ｇ５は、像側に凸面を向けた正メニスカスレンズＬ１１と、両凹負レンズＬ１２と、両凹負レンズＬ１３と、で構成されている。ここで、正メニスカスレンズＬ１１と両凹負レンズＬ１２とが接合されている。
【０１０３】
第６レンズ群Ｇ６は、両凸正レンズＬ１４と、両凸正レンズＬ１５と、で構成されている。
【０１０４】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１０５】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１０６】
実施例４のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１０７】
第１レンズ群Ｇ１は、物体側に凸面を向けた負メニスカスレンズＬ１と、両凸正レンズＬ２と、両凸正レンズＬ３と、両凹負レンズＬ４と、両凸正レンズＬ５と、で構成されている。ここで、両凸正レンズＬ３と両凹負レンズＬ４とが接合されている。
【０１０８】
第２レンズ群Ｇ２は、像側に凸面を向けた正メニスカスレンズＬ６と、両凹負レンズＬ７と、両凹負レンズＬ８と、で構成されている。ここで、正メニスカスレンズＬ６と両凹負レンズＬ７とが接合されている。
【０１０９】
第３レンズ群Ｇ３は、物体側に凸面を向けた負メニスカスレンズＬ９と、両凸正レンズＬ１０と、両凹負レンズＬ１１と、で構成されている。ここで、負メニスカスレンズＬ９と両凸正レンズＬ１０とが接合されている。
【０１１０】
第４レンズ群Ｇ４は、両凹負レンズＬ１２で構成されている。
【０１１１】
第５レンズ群Ｇ５は、両凸正レンズＬ１３と、両凹負レンズＬ１４と、両凹負レンズＬ１５と、で構成されている。ここで、両凸正レンズＬ１３と両凹負レンズＬ１４とが接合されている。
【０１１２】
第６レンズ群Ｇ６は、物体側に凸面を向けた正メニスカスレンズＬ１６と、両凸正レンズＬ１７と、平凹負レンズＬ１８と、で構成されている。ここで、両凸正レンズＬ１７と平凹負レンズＬ１８とが接合されている。
【０１１３】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１１４】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１１５】
実施例５のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１１６】
第１レンズ群Ｇ１は、像側に凸面を向けた正メニスカスレンズＬ１と、両凸正レンズＬ２と、像側に凸面を向けた負メニスカスレンズＬ３と、両凸正レンズＬ４と、物体側に凸面を向けた正メニスカスレンズＬ５と、で構成されている。ここで、両凸正レンズＬ２と負メニスカスレンズＬ３とが接合されている。
【０１１７】
第２レンズ群Ｇ２は、像側に凸面を向けた正メニスカスレンズＬ６と、両凹負レンズＬ７と、両凹負レンズＬ８と、で構成されている。ここで、正メニスカスレンズＬ６と両凹負レンズＬ７とが接合されている。
【０１１８】
第３レンズ群Ｇ３は、両凸正レンズＬ９と、両凸正レンズＬ１０と、像側に凸面を向けた負メニスカスレンズＬ１１と、で構成されている。ここで、両凸正レンズＬ１０と負メニスカスレンズＬ１１とが接合されている。
【０１１９】
第４レンズ群Ｇ４は、両凹負レンズＬ１２で構成されている。
【０１２０】
第５レンズ群Ｇ５は、両凸正レンズＬ１３と、両凹負レンズＬ１４と、両凹負レンズＬ１５と、で構成されている。ここで、両凸正レンズＬ１３と両凹負レンズＬ１４とが接合されている。
【０１２１】
第６レンズ群Ｇ６は、両凸正レンズＬ１６と、物体側に凸面を向けた正メニスカスレンズＬ１７と、で構成されている。
【０１２２】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１２３】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１２４】
実施例６のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１２５】
第１レンズ群Ｇ１は、両凸正レンズＬ１と、両凸正レンズＬ２と、両凹負レンズＬ３と、両凸正レンズＬ４と、物体側に凸面を向けた正メニスカスレンズＬ５と、で構成されている。ここで、両凸正レンズＬ２と両凹負レンズＬ３とが接合されている。
【０１２６】
第２レンズ群Ｇ２は、像側に凸面を向けた正メニスカスレンズＬ６と、両凹負レンズＬ７と、両凹負レンズＬ８と、で構成されている。ここで、正メニスカスレンズＬ６と両凹負レンズＬ７とが接合されている。
【０１２７】
第３レンズ群Ｇ３は、両凸正レンズＬ９と、両凸正レンズＬ１０と、像側に凸面を向けた負メニスカスレンズＬ１１と、で構成されている。ここで、両凸正レンズＬ１０と負メニスカスレンズＬ１１とが接合されている。
【０１２８】
第４レンズ群Ｇ４は、両凹負レンズＬ１２で構成されている。
【０１２９】
第５レンズ群Ｇ５は、両凸正レンズＬ１３と、両凹負レンズＬ１４と、両凹負レンズＬ１５と、で構成されている。ここで、両凸正レンズＬ１３と両凹負レンズＬ１４とが接合されている。
【０１３０】
第６レンズ群Ｇ６は、両凸正レンズＬ１６と、物体側に凸面を向けた正メニスカスレンズＬ１７と、で構成されている。
【０１３１】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１３２】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１３３】
実施例７のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１３４】
第１レンズ群Ｇ１は、両凸正レンズＬ１と、両凸正レンズＬ２と、像側に凸面を向けた負メニスカスレンズＬ３と、両凸正レンズＬ４と、で構成されている。ここで、両凸正レンズＬ２と負メニスカスレンズＬ３とが接合されている。
【０１３５】
第２レンズ群Ｇ２は、像側に凸面を向けた正メニスカスレンズＬ５と、両凹負レンズＬ６と、両凹負レンズＬ７と、で構成されている。ここで、正メニスカスレンズＬ５と両凹負レンズＬ６とが接合されている。
【０１３６】
第３レンズ群Ｇ３は、物体側に凸面を向けた負メニスカスレンズＬ８と、両凸正レンズＬ９と、両凸正レンズＬ１０と、で構成されている。ここで、負メニスカスレンズＬ８と両凸正レンズＬ９とが接合されている。
【０１３７】
第４レンズ群Ｇ４は、両凹負レンズＬ１１で構成されている。
【０１３８】
第５レンズ群Ｇ５は、両凸正レンズＬ１２と、両凹負レンズＬ１３と、両凹負レンズＬ１４と、で構成されている。ここで、両凸正レンズＬ１２と両凹負レンズＬ１３とが接合されている。
【０１３９】
第６レンズ群Ｇ６は、両凸正レンズＬ１５と、両凸正レンズＬ１６と、両凹負レンズＬ１７と、で構成されている。ここで、両凸正レンズＬ１６と両凹負レンズＬ１７とが接合されている。
【０１４０】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１４１】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１４２】
実施例８のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１４３】
第１レンズ群Ｇ１は、両凸正レンズＬ１と、両凸正レンズＬ２と、両凹負レンズＬ３と、両凸正レンズＬ４と、で構成されている。ここで、両凸正レンズＬ２と両凹負レンズＬ３とが接合されている。
【０１４４】
第２レンズ群Ｇ２は、像側に凸面を向けた正メニスカスレンズＬ５と、両凹負レンズＬ６と、両凹負レンズＬ７と、で構成されている。ここで、正メニスカスレンズＬ５と両凹負レンズＬ６とが接合されている。
【０１４５】
第３レンズ群Ｇ３は、物体側に凸面を向けた負メニスカスレンズＬ８と、両凸正レンズＬ９と、両凸正レンズＬ１０と、で構成されている。ここで、負メニスカスレンズＬ８と両凸正レンズＬ９とが接合されている。
【０１４６】
第４レンズ群Ｇ４は、両凹負レンズＬ１１で構成されている。
【０１４７】
第５レンズ群Ｇ５は、両凸正レンズＬ１２と、両凹負レンズＬ１３と、両凹負レンズＬ１４と、で構成されている。ここで、両凸正レンズＬ１２と両凹負レンズＬ１３とが接合されている。
【０１４８】
第６レンズ群Ｇ６は、物体側に凸面を向けた正メニスカスレンズＬ１５と、両凸正レンズＬ１６と、平凹負レンズＬ１７と、で構成されている。ここで、両凸正レンズＬ１６と平凹負レンズＬ１７とが接合されている。
【０１４９】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１５０】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１５１】
実施例９のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１５２】
第１レンズ群Ｇ１は、両凸正レンズＬ１と、両凸正レンズＬ２と、像側に凸面を向けた負メニスカスレンズＬ３と、両凸正レンズＬ４と、で構成されている。ここで、両凸正レンズＬ２と負メニスカスレンズＬ３とが接合されている。
【０１５３】
第２レンズ群Ｇ２は、像側に凸面を向けた正メニスカスレンズＬ５と、両凹負レンズＬ６と、両凹負レンズＬ７と、で構成されている。ここで、正メニスカスレンズＬ５と両凹負レンズＬ６とが接合されている。
【０１５４】
第３レンズ群Ｇ３は、物体側に凸面を向けた負メニスカスレンズＬ８と、両凸正レンズＬ９と、両凸正レンズＬ１０と、で構成されている。ここで、負メニスカスレンズＬ８と両凸正レンズＬ９とが接合されている。
【０１５５】
第４レンズ群Ｇ４は、両凹負レンズＬ１１で構成されている。
【０１５６】
第５レンズ群Ｇ５は、両凸正レンズＬ１２と、両凹負レンズＬ１３と、両凹負レンズＬ１４と、で構成されている。ここで、両凸正レンズＬ１２と両凹負レンズＬ１３とが接合されている。
【０１５７】
第６レンズ群Ｇ６は、両凸正レンズＬ１５と、両凸正レンズＬ１６と、両凹負レンズＬ１７と、で構成されている。ここで、両凸正レンズＬ１６と両凹負レンズＬ１７とが接合されている。
【０１５８】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１５９】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１６０】
実施例１０のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１６１】
第１レンズ群Ｇ１は、両凸正レンズＬ１と、両凸正レンズＬ２と、像側に凸面を向けた負メニスカスレンズＬ３と、両凸正レンズＬ４と、で構成されている。ここで、両凸正レンズＬ２と負メニスカスレンズＬ３とが接合されている。
【０１６２】
第２レンズ群Ｇ２は、像側に凸面を向けた正メニスカスレンズＬ５と、両凹負レンズＬ６と、両凹負レンズＬ７と、で構成されている。ここで、正メニスカスレンズＬ５と両凹負レンズＬ６とが接合されている。
【０１６３】
第３レンズ群Ｇ３は、物体側に凸面を向けた負メニスカスレンズＬ８と、両凸正レンズＬ９と、両凸正レンズＬ１０と、で構成されている。ここで、負メニスカスレンズＬ８と両凸正レンズＬ９とが接合されている。
【０１６４】
第４レンズ群Ｇ４は、両凹負レンズＬ１１で構成されている。
【０１６５】
第５レンズ群Ｇ５は、両凸正レンズＬ１２と、両凹負レンズＬ１３と、両凹負レンズＬ１４と、で構成されている。ここで、両凸正レンズＬ１２と両凹負レンズＬ１３とが接合されている。
【０１６６】
第６レンズ群Ｇ６は、両凸正レンズＬ１５と、両凸正レンズＬ１６と、両凹負レンズＬ１７と、で構成されている。ここで、両凸正レンズＬ１６と両凹負レンズＬ１７とが接合されている。
【０１６７】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１６８】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１６９】
実施例１１のマクロレンズは、物体側から順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、負屈折力を有する第５レンズ群Ｇ５と、正屈折力を有する第６レンズ群Ｇ６と、で構成されている。開口絞りＳは、第２レンズ群Ｇ２と第３レンズ群Ｇ３との間に配置されている。
【０１７０】
第１レンズ群Ｇ１は、像側に凸面を向けた正メニスカスレンズＬ１と、両凸正レンズＬ２と、両凹負レンズＬ３と、両凸正レンズＬ４と、物体側に凸面を向けた正メニスカスレンズＬ５と、で構成されている。ここで、両凸正レンズＬ２と両凹負レンズＬ３とが接合されている。
【０１７１】
第２レンズ群Ｇ２は、平凸正レンズＬ６と、両凹負レンズＬ７と、両凹負レンズＬ８と、で構成されている。ここで、平凸正レンズＬ６と両凹負レンズＬ７とが接合されている。
【０１７２】
第３レンズ群Ｇ３は、物体側に凸面を向けた負メニスカスレンズＬ９と、両凸正レンズＬ１０と、両凸正レンズＬ１１と、で構成されている。ここで、負メニスカスレンズＬ９と両凸正レンズＬ１０とが接合されている。
【０１７３】
第４レンズ群Ｇ４は、両凹負レンズＬ１２で構成されている。
【０１７４】
第５レンズ群Ｇ５は、両凸正レンズＬ１３と、両凹負レンズＬ１４と、両凹負レンズＬ１５と、で構成されている。ここで、両凸正レンズＬ１３と両凹負レンズＬ１４とが接合されている。
【０１７５】
第６レンズ群Ｇ６は、物体側に凸面を向けた正メニスカスレンズＬ１６と、両凸正レンズＬ１７と、像側に凸面を向けた負メニスカスレンズＬ１８と、で構成されている。ここで、両凸正レンズＬ１７と負メニスカスレンズＬ１８とが接合されている。
【０１７６】
最遠距離物体から至近距離物体への合焦時、第１レンズ群Ｇ１、第４レンズ群Ｇ４、第５レンズ群Ｇ５、及び第６レンズ群Ｇ６は固定で、第２レンズ群Ｇ２は像側に移動し、第３レンズ群Ｇ３は物体側に移動する。
【０１７７】
ウォブリング時、第４レンズ群Ｇ４は、光軸方向の微小な範囲を往復する。ブレ補正時、第５レンズ群Ｇ５は、光軸方向と直交する方向の微小な範囲を往復する。
【０１７８】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数である。
【０１７９】
各種データにおいて、無限は無限遠物体合焦時、至近１は撮影倍率が０．５倍となる位置の物体に合焦した時、至近２は撮影倍率が１倍となる位置に物体に合焦した時を表す。
【０１８０】
また、ｆは全系の焦点距離、ＦＮＯ．はＦナンバー、ωは半画角、ＢＦはバックフォーカス、ＬＴＬは光学系の全長、ＩＨは像高、βmaxは最大倍率、ＩＯnearは至近距離物体合焦時の物体から像面までの距離である。バックフォーカスは、最も像側のレンズ面から近軸像面までの距離を空気換算して表したものである。全長は、最も物体側のレンズ面から最も像側のレンズ面までの距離にバックフォーカスを加えたものである。
【０１８１】
また、各群焦点距離において、ｆ１、ｆ２…は各レンズ群の焦点距離である。
【０１８２】
数値実施例１
単位  ｍｍ
面データ
面番号         r          d         nd        νd
物面        ∞         ∞
1     273.076      4.29     1.72916    54.68
2     -96.062      0.25
3      57.768      4.11     1.49700    81.54
4     206.134      3.60
5     -72.925      1.80     1.80000    29.84
6    -595.232      0.15
7      66.051      4.93     1.49700    81.54
8     -99.191      可変
9    -192.242      2.55     1.92286    18.90
10     -56.896      1.30     1.78590    44.20
11      38.316      可変
12(絞り)  ∞        可変
13      57.916      3.51     1.72916    54.68
14     -81.215      0.15
15      43.531      4.13     1.61800    63.40
16     -55.231      1.30     1.85478    24.80
17     152.084      可変
18     135.121      1.20     1.62004    36.26
19      26.724      可変
20     140.838      3.37     1.80518    25.42
21     -37.669      1.20     1.58313    59.38
22      21.884      3.63
23     -46.407      1.20     1.72047    34.71
24      89.464      可変
25     145.676      3.69     1.61800    63.40
26     -48.344      1.87
27      33.266      4.50     1.74320    49.34
28     467.296      可変
像面        ∞
各種データ
無限      至近１    至近２
ｆ                 98.00     94.67     78.08
ＦＮＯ．            2.83      2.37      1.73
２ω               12.89      8.22      5.26
ＢＦ(in air)       28.23     28.23     28.23
ＬＴＬ(in air)    134.63    134.63    134.63
ＩＨ               10.815
βmax              -1.0
ＩＯnear          229.40
d8            5.96     14.54     21.17
d11          19.03     10.50      3.94
d12          19.62     11.38      2.00
d17           2.50     10.70     20.00
d19           3.80      3.80      3.80
d24           2.75      2.75      2.75
d28          28.23     28.23     28.23
各群焦点距離
f1=53.53   f2=-43.38   f3=37.71   f4=-53.95
f5=-25.56  f6=27.06
【０１８３】
数値実施例２
単位  ｍｍ
面データ
面番号         r          d         nd        νd
物面        ∞         ∞
1     293.398      4.08     1.72916    54.68
2    -101.398      0.25
3      70.456      4.42     1.49700    81.54
4   -2098.935      1.36
5    -118.146      1.80     1.80000    29.84
6     209.090      0.15
7      39.887      5.00     1.49700    81.54
8    1065.669      可変  
9      49.880      4.06     1.80810    22.76
10    -158.822      1.30     1.72000    43.69
11      39.218      2.22
12    -446.260      1.50     1.74951    35.33
13      31.546      可変
14(絞り)  ∞        可変
15      63.895      3.38     1.72916    54.68
16     -84.578      0.15
17      34.764      4.23     1.61800    63.40
18     -79.882      1.30     1.85478    24.80
19     115.537      可変
20      50.000      1.20     1.72825    28.46
21      22.642      可変
22     292.601      3.50     1.80518    25.42
23     -33.467      1.20     1.69680    55.53
24      27.181      2.51
25    -107.436      1.20     1.80000    29.84
26      83.896      可変
27     126.864      2.86     1.61800    63.40
28     -96.129      3.37
29      38.889      4.41     1.80610    40.92
30    -323.987      可変
像面        ∞
各種データ
無限      至近１    至近２
ｆ                 98.00     93.94     76.29
ＦＮＯ．            2.86      2.45      1.97
２ω               12.96      8.53      5.76
ＢＦ(in air)       29.44     29.44     29.44
ＬＴＬ(in air)    134.66    134.66    134.66
ＩＨ               10.815
βmax              -1.0
ＩＯnear          236.66
d8            2.00     10.53     14.41
d13          16.36      7.87      4.07
d14          20.97     13.01      2.00
d19           3.00     10.92     21.85
d21           4.68      4.68      4.68
d26           2.76      2.76      2.76
d30          29.44     29.44     29.44
各群焦点距離
f1=55.35   f2=-39.99   f3=35.39   f4=-57.89
f5=-26.86  f6=30.13
【０１８４】
数値実施例３
単位  ｍｍ
面データ
面番号         r          d         nd        νd
物面        ∞         ∞
1     142.904      4.00     1.69680    55.53
2    -178.342      0.25
3      55.060      6.98     1.43875    94.66
4     -89.045      1.80     1.62004    36.26
5     152.901      0.15
6      54.603      3.94     1.49700    81.54
7    1377.753      可変
8    -249.055      2.30     1.92286    18.90
9     -77.310      1.30     1.69680    55.53
10      32.634      可変
11(絞り)  ∞        可変
12      52.207      3.43     1.72916    54.68
13    -110.557      0.50
14      43.330      4.03     1.61800    63.40
15     -61.568      1.30     1.85478    24.80
16     114.621      可変
17      37.534      1.20     1.80000    29.84
18      20.451      可変
19    -862.560      2.89     1.80810    22.76
20     -38.476      1.20     1.51742    52.43
21      24.275      3.45
22     -47.153      1.20     1.65412    39.68
23      62.039      可変
24      66.387      4.60     1.48749    70.23
25     -59.534      0.15
26      42.632      5.00     1.80400    44.90
27    -173.466      可変
像面        ∞
各種データ
無限      至近１    至近２
ｆ                 97.98    107.01     95.51
ＦＮＯ．            2.86      2.74      2.32
２ω               12.94      8.43      5.64
ＢＦ(in air)       28.27     28.27     28.27
ＬＴＬ(in air)    134.63    134.63    134.63
ＩＨ               10.815
Βmax              -1.0
ＩＯnear          231.71
d7            5.68     14.65     19.75
d10          18.06      9.10      4.06
d11          21.81     13.39      2.00
d16           2.50     10.90     22.23
d18           4.51      4.51      4.51
d23           4.14      4.14      4.14
d27          28.27     28.27     28.27
各群焦点距離
f1=52.84   f2=-44.99   f3=41.07   f4=-57.98
f5=-24.76  f6=26.44
【０１８５】
数値実施例４
単位  ｍｍ
面データ
面番号         r          d         nd        νd
物面        ∞         ∞
1     102.157      1.20     1.81600    46.62
2      55.043      1.49
3      64.652      5.98     1.75500    52.32
4    -141.605      0.50
5      60.218      7.33     1.49700    81.54
6     -64.481      1.20     1.91650    31.60
7     442.455      0.20
8      47.743      5.41     1.43875    94.66
9    -121.586      可変
10    -696.792      2.34     1.94595    17.98
11     -66.895      1.00     1.72916    54.68
12      39.581      2.78
13     -64.416      1.00     1.48749    70.23
14      41.781      可変
15(絞り)  ∞        可変
16      89.312      1.10     1.92286    20.88
17      45.480      5.49     1.48749    70.23
18     -49.002      0.15
19      48.557      3.98     1.59349    67.00
20    -120.653      可変
21    -181.679      1.00     1.88300    40.76
22     141.909      可変
23      43.710      4.44     1.80810    22.76
24     -50.536      1.00     1.56732    42.82
25      22.245      4.41
26     -39.932      1.00     1.59270    35.31
27      30.001      可変
28      35.038      3.90     1.81600    46.62
29     483.190      0.20
30      37.188      6.92     1.61800    63.40
31     -39.163      1.00     1.91650    31.60
32        ∞        可変
像面        ∞
各種データ
無限      至近１    至近２
ｆ                 90.14     81.15     61.95
ＦＮＯ．            2.90      2.08      1.06
２ω               14.22      7.76      3.80
ＢＦ(in air)       28.26     28.26     28.26
ＬＴＬ(in air)    154.63    154.63    154.63
ＩＨ               10.815
βmax              -1.0
ＩＯnear          252.33
d9            4.01     11.06     18.27
d14          22.01     14.97      7.76
d15          21.33     13.13      6.32
d20           6.36     14.56     21.37
d22           5.66      5.66      5.66
d27           1.98      1.98      1.98
d32          28.26     28.26     28.26
各群焦点距離
f1=45.97   f2=-27.13   f3=36.55   f4=-90.10
f5=-29.60  f6=31.84
【０１８６】
数値実施例５
単位  ｍｍ
面データ
面番号         r          d         nd        νd
物面        ∞         ∞
1    -238.080      4.00     1.75500    52.32
2    -105.308      0.25
3      91.126      7.64     1.49700    81.54
4     -53.167      1.50     1.91650    31.60
5    -352.910      0.20
6     275.045      4.40     1.49700    81.54
7     -76.633      0.20
8      45.607      4.01     1.61800    63.40
9     242.686      可変
10    -287.792      2.78     1.94595    17.98
11     -53.314      1.30     1.72916    54.68
12      44.857      2.77
13     -61.126      1.30     1.48749    70.23
14      39.612      可変
15(絞り)  ∞        可変
16      96.418      4.35     1.59349    67.00
17     -56.030      0.15
18      51.306      5.80     1.48749    70.23
19     -38.815      1.30     1.94595    17.98
20     -66.644      可変
21    -112.864      1.20     1.92119    23.96
22     282.777      可変
23      75.474      5.51     1.80810    22.76
24     -22.378      1.20     1.74950    35.28
25      30.831      3.72
26     -57.202      1.20     1.59270    35.31
27      34.873      可変
28      53.713      3.94     1.89190    37.13
29    -136.588      0.20
30      57.904      4.14     1.61800    63.40
31    1865.478      可変
像面        ∞
各種データ
無限      至近１    至近２
ｆ                 88.13     88.99     75.54
ＦＮＯ．            2.88      2.15      1.22
２ω               14.19      7.54      3.48
ＢＦ(in air)       28.36     28.36     28.36
ＬＴＬ(in air)    155.03    155.03    155.03
ＩＨ               10.815
βmax              -1.0
ＩＯnear          259.39
d9            5.25     12.45     19.74
d14          22.47     15.27      7.98
d15          21.84     14.38      6.59
d20           6.16     11.82      9.94
d22           5.66      7.47     17.13
d27           2.21      2.21      2.21
d31          28.36     28.36     28.36
各群焦点距離
f1=44.04   f2=-27.01   f3=35.92   f4=-87.44
f5=-26.63  f6=30.42
【０１８７】
数値実施例６
単位  ｍｍ
面データ
面番号         r          d         nd        νd
物面        ∞         ∞
1     281.413      4.96     1.75500    52.32
2    -138.598      0.25
3      86.549      6.85     1.49700    81.54
4     -63.312      1.50     1.91650    31.60
5     203.219      0.20
6     132.376      4.79     1.49700    81.54
7     -81.507      0.20
8      50.956      3.75     1.61800    63.40
9     291.656      可変
10    -349.004      2.80     1.94595    17.98
11     -54.422      1.30     1.72916    54.68
12      46.412      2.87
13     -50.600      1.30     1.48749    70.23
14      44.396      可変
15(絞り)  ∞        可変
16      83.618      4.32     1.59349    67.00
17     -54.113      0.15
18      64.839      5.41     1.48749    70.23
19     -37.752      1.30     1.92286    20.88
20     -70.057      可変
21     -74.783      1.20     1.59270    35.31
22     284.987      可変
23      65.951      4.74     1.80810    22.76
24     -30.866      1.20     1.56732    42.82
25      31.510      3.59
26     -40.984      1.20     1.80000    29.84
27      34.164      可変
28      59.716      4.36     1.72916    54.68
29     -62.494      0.20
30      44.500      3.55     1.49700    81.54
31    1865.478      可変
像面        ∞
各種データ
無限      至近１    至近２
ｆ                 90.73     89.01     70.28
ＦＮＯ．            2.88      2.10      1.15
２ω               13.77      7.23      3.48
ＢＦ(in air)       28.36     28.36     28.36
ＬＴＬ(in air)    154.19    154.19    154.19
ＩＨ              10.815
βmax             -1.0
ＩＯnear         254.57
d9           5.12     12.54     19.73
d14         22.57     15.15      7.96
d15         21.96     13.68      6.58
d20          6.65     14.93     22.03
d22          5.17      5.17      5.17
d27          2.36      2.36      2.36
d31         28.36     28.36     28.36
各群焦点距離
f1=46.52   f2=-27.60   f3=37.70   f4=-99.82
f5=-26.25  f6=29.36
【０１８８】
数値実施例７
単位  ｍｍ
面データ
面番号         r          d         nd        νd
物面        ∞         ∞
1     291.168      4.17     1.75500    52.32
2    -102.148      0.25
3      64.764      7.70     1.49700    81.54
4     -57.541      1.20     1.91650    31.60
5   -6873.390      0.20
6      49.182      5.50     1.43875    94.66
7    -138.670      可変
8    -233.666      2.27     1.94595    17.98
9     -60.640      1.00     1.72916    54.68
10      47.538      2.46
11     -72.383      1.00     1.48749    70.23
12      42.472      可変
13(絞り)  ∞        可変
14      70.971      1.10     1.92286    20.88
15      40.124      5.48     1.48749    70.23
16     -57.694      0.15
17      51.183      3.89     1.59349    67.00
18    -115.688      可変
19    -298.123      1.00     1.88300    40.76
20     108.147      可変
21      44.027      4.80     1.80810    22.76
22     -47.769      1.00     1.56732    42.82
23      21.501      4.49
24     -36.844      1.00     1.59270    35.31
25      32.709      可変
26      39.520      4.13     1.81600    46.62
27    -255.626      0.20
28      39.704      6.81     1.61800    63.40
29     -37.884      1.00     1.91650    31.60
30  492100.985      可変
像面        ∞
各種データ
無限      至近１    至近２
ｆ                 89.72     82.02     63.26
ＦＮＯ．            2.88      2.11      1.10
２ω               14.12      7.77      3.84
ＢＦ(in air)       28.25     28.25     28.25
ＬＴＬ(in air)    150.61    150.61    150.61
ＩＨ               10.815
βmax              -1.0
ＩＯnear          248.31
d7            4.09     11.30     18.71
d12          22.51     15.29      7.89
d13          21.93     13.63      6.54
d18           5.94     14.23     21.32
d20           5.08      5.08      5.08
d25           2.02      2.02      2.02
d30          28.25     28.25     28.25
各群焦点距離
f1=46.20   f2=-28.52   f3=37.43   f4=-89.77
f5=-29.39  f6=31.01
【０１８９】
数値実施例８
単位  ｍｍ
面データ
面番号         r          d         nd        νd
物面        ∞         ∞
1     260.832      4.03     1.75500    52.32
2    -106.593      0.25
3      56.171      7.48     1.49700    81.54
4     -62.334      1.20     1.91650    31.60
5     512.107      0.20
6      44.951      5.17     1.43875    94.66
7    -190.085      可変
8   -1033.105      2.32     1.94595    17.98
9     -69.677      1.00     1.72916    54.68
10      44.844      1.98
11     -93.911      1.00     1.61800    63.40
12      41.329      可変
13(絞り)  ∞        可変
14     105.653      1.10     1.92286    20.88
15      49.860      5.48     1.48749    70.23
16     -46.709      0.15
17      47.463      4.40     1.59349    67.00
18    -131.621      可変
19    -197.444      1.00     1.88300    40.76
20     133.568      可変
21      41.819      4.40     1.80810    22.76
22     -54.362      1.00     1.56732    42.82
23      21.559      4.52
24     -41.061      1.00     1.59270    35.31
25      30.359      可変
26      35.030      3.95     1.81600    46.62
27     346.798      0.20
28      34.518      7.57     1.61800    63.40
29     -37.305      1.00     1.91650    31.60
30        ∞        可変
像面        ∞
各種データ
無限      至近１    至近２
ｆ                 88.18     81.41     62.84
ＦＮＯ．            2.88      2.13      1.11
２ω               14.60      7.98      3.94
ＢＦ(in air)       28.23     28.23     28.23
ＬＴＬ(in air)    151.23    151.23    151.23
ＩＨ               10.815
βmax              -1.0
ＩＯnear          251.81
d7            4.08     11.29     18.69
d12          22.54     15.33      7.92
d13          21.95     13.51      6.56
d18           6.32     14.76     21.71
d20           5.71      5.71      5.71
d25           2.02      2.02      2.02
d30          28.23     28.23     28.23
各群焦点距離
f1=46.27   f2=-27.49   f3=36.98   f4=-90.10
f5=-29.99  f6=31.41
【０１９０】
数値実施例９
単位  ｍｍ
面データ
面番号         r          d         nd        νd
物面        ∞         ∞
1     358.141      4.19     1.75500    52.32
2     -95.258      0.50
3      78.839      7.06     1.49700    81.61
4     -55.472      1.20     1.91650    31.60
5    -672.762      0.20
6      43.785      5.42     1.43875    94.66
7    -167.207      可変
8    -372.773      2.28     1.94595    17.98
9     -66.769      0.90     1.72916    54.67
10      46.993      2.61
11     -59.593      1.00     1.48749    70.45
12      41.866      可変
13(絞り)  ∞        可変
14      82.771      1.10     1.92286    20.88
15      42.305      5.27     1.48749    70.45
16     -60.152      0.15
17      51.847      4.08     1.59349    67.00
18     -95.572      可変
19    -296.588      1.00     1.87070    40.73
20     104.062      可変
21      40.653      4.42     1.80810    22.76
22     -57.812      0.90     1.54814    45.82
23      20.456      4.05
24     -47.103      1.00     1.64769    33.79
25      33.156      可変
26      38.213      4.12     1.87070    40.73
27    -511.313      0.20
28      35.806      7.43     1.61997    63.88
29     -35.806      1.00     1.91650    31.60
30     407.789      可変
像面        ∞
各種データ
無限      至近１    至近２
ｆ                 88.33     82.30     64.02
ＦＮＯ．            2.88      2.17      1.14
２ω               14.36      7.85      3.90
ＢＦ(in air)       29.98     29.98     29.98
ＬＴＬ(in air)    152.53    152.53    152.53
ＩＨ               10.815
βmax              -1.0
ＩＯnear          250.24
d7            4.14     11.39     18.77
d12          22.44     15.19      7.80
d13          21.85     13.38      6.48
d18           6.13     14.60     21.50
d20           5.93      5.93      5.93
d25           1.99      1.99      1.99
d30          29.98     29.98     29.98
各群焦点距離
f1=45.83   f2=-28.04   f3=38.33   f4=-88.37
f5=-30.81  f6=30.47
【０１９１】
数値実施例１０
単位  ｍｍ
面データ
面番号         r          d         nd        νd
物面        ∞         ∞
1     418.967      3.97     1.75500    52.32
2    -100.255      0.50
3      60.182      7.58     1.49700    81.61
4     -60.182      1.20     1.91650    31.60
5   -2219.248      0.20
6      47.671      5.09     1.43875    94.66
7    -162.374      可変
8    -294.475      2.23     1.94595    17.98
9     -64.639      0.90     1.72916    54.68
10      44.655      2.52
11     -64.449      1.00     1.48749    70.23
12      42.388      可変
13(絞り)  ∞        可変
14      78.707      1.10     1.92286    20.88
15      41.262      5.43     1.48749    70.23
16     -58.954      0.15
17      52.791      4.05     1.59349    67.00
18     -93.927      可変
19    -200.898      1.00     1.88300    40.76
20     116.763      可変
21      45.320      4.55     1.80810    22.76
22     -45.320      0.90     1.54814    45.79
23      22.983      3.82
24     -45.664      1.00     1.66680    33.05
25      31.960      可変
26      39.189      4.20     1.88300    40.76
27    -309.046      0.20
28      36.317      7.58     1.61997    63.88
29     -36.317      1.00     1.91650    31.60
30     370.239      可変
像面        ∞
各種データ
無限      至近１    至近２
ｆ                 88.64     82.71     64.41
ＦＮＯ．            2.89      2.16      1.13
２ω               14.34      7.83      3.86
ＢＦ(in air)       30.28     30.28     30.28
ＬＴＬ(in air)    152.64    152.64    152.64
ＩＨ               10.815
βmax              -1.0
ＩＯnear          249.91
d7            4.12     11.23     18.48
d12          22.33     15.22      7.97
d13          21.77     13.44      6.59
d18           6.08     14.40     21.25
d20           5.90      5.90      5.90
d25           2.00      2.00      2.00
d30          30.28     30.28     30.28
各群焦点距離
f1=45.43   f2=-27.52   f3=37.84   f4=-83.51
f5=-30.69  f6=29.92
【０１９２】
数値実施例１１
単位  ｍｍ
面データ
面番号         r          d         nd        νd
物面        ∞         ∞
1    -475.994      2.81     1.75500    52.32
2    -116.688      0.25
3      55.643      7.35     1.61800    63.40
4     -87.553      1.20     1.85025    30.05
5      50.573      2.15
6      61.130      4.15     1.83481    42.73
7    -362.041      0.20
8      47.431      4.06     1.49700    81.54
9     746.096      可変
10        ∞        2.51     1.94595    17.98
11     -61.560      1.00     1.72916    54.68
12      50.826      2.25
13     -71.405      1.00     1.61800    63.40
14      41.231      可変
15(絞り)  ∞        可変
16      88.800      1.10     1.92286    20.88
17      43.482      4.89     1.49700    81.54
18     -60.856      0.15
19      56.560      4.67     1.59349    67.00
20     -78.574      可変
21    -120.512      1.00     1.88300    40.76
22     226.430      可変
23      43.843      4.48     1.80810    22.76
24     -46.169      1.00     1.56732    42.82
25      21.709      4.57
26     -33.669      1.00     1.59270    35.31
27      34.356      可変
28      45.928      3.40     1.81600    46.62
29    1217.487      0.20
30      34.996      8.93     1.61800    63.40
31     -32.899      1.00     1.91650    31.60
32    -109.898      可変
像面        ∞
各種データ
無限      至近１    至近２
ｆ                 89.34     88.15     70.04
ＦＮＯ．            2.88      2.19      1.16
２ω               14.34      7.65      3.76
ＢＦ(in air)       28.24     28.24     28.24
ＬＴＬ(in air)    155.98    155.98    155.98
ＩＨ              10.815
βmax             -1.0
ＩＯnear         252.75
d9           4.38     12.09     19.66
d14         23.06     15.36      7.79
d15         21.18     13.22      6.46
d20          6.83     14.80     21.56
d22          4.97      4.97      4.97
d27          1.96      1.96      1.96
d32         28.24     28.24     28.24
各群焦点距離
f1=46.24   f2=-28.45   f3=38.15   f4=-88.95
f5=-29.19  f6=29.90
【０１９３】
次に、各実施例における条件式の値を以下に掲げる。
実施例１    実施例２    実施例３    実施例４
(1)LEE/Δfo1G        6.99        8.48        7.56        8.86
(2)LEE/Δfo2G        6.08        5.58        5.39        8.42
(3)FLfo1G/FLfo1Gp   -0.50       -0.84       -0.37       -0.34
(4)Ndfo1Gp           1.92        1.81        1.92        1.95
(5)νdfo1Gp         18.9        22.76       18.9        17.98
実施例５    実施例６    実施例７    実施例８
(1)LEE/Δfo1G        8.74        8.61        8.37        8.42
(2)LEE/Δfo2G        8.31        8.18        7.95        8.00
(3)FLfo1G/FLfo1Gp   -0.39       -0.41       -0.33       -0.35
(4)Ndfo1Gp           1.95        1.95        1.95        1.95
(5)νdfo1Gp         17.98       17.98       17.98       17.98
実施例９    実施例１０   実施例１１
(1)LEE/Δfo1G        8.37        8.52         8.36
(2)LEE/Δfo2G        7.97        8.07         8.67
(3)FLfo1G/FLfo1Gp   -0.33       -0.32        -0.28
(4)Ndfo1Gp           1.95        1.95         1.95
(5)νdfo1Gp         17.98       17.98        17.98
【０１９４】
図２３は、撮像装置としての一眼ミラーレスカメラの断面図である。図２３において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０１９５】
そして、一眼ミラーレスカメラ１の撮影光学系２として、例えば上記実施例に示したマクロレンズが用いられる。
【０１９６】
図２４、図２５は、撮像装置の構成の概念図を示す。図２４は撮像装置としてのデジタルカメラ４０の前方斜視図、図２５は同後方斜視図である。このデジタルカメラ４０の撮影光学系４１に、本実施例のマクロレンズが用いられている。
【０１９７】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のマクロレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０１９８】
図２６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１９９】
図２６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２００】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２０１】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２０２】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２０３】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２０４】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２０５】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２０６】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２０７】
このように構成された一眼ミラーレスカメラ４０では、撮影光学系４１として本発明のマクロレンズを採用することで、至近距離に位置する物体を、低ノイズ、高解像度で撮像することができる。なお、本発明のマクロレンズは、クイックリターンミラーを持つタイプの撮像装置にも用いることができる。
【０２０８】
なお、本発明は、その趣旨を逸脱しない範囲で様々な変形例をとることができる。また、上記各実施例により示された形状枚数には必ずしも限定されない。また、各レンズ群内又は各レンズ群外に、上記各実施例に図示されていないレンズであって実質的に屈折力を有さないレンズを配置してもよい。
【産業上の利用可能性】
【０２０９】
以上のように、本発明は、合焦スピードが速く、高い結像性能を有するマクロレンズ及びそれを備えた撮像装置に適している。
【符号の説明】
【０２１０】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｓ  開口絞り
Ｉ  像面
１  一眼ミラーレスカメラ
２  撮影光学系
３  マウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019164277.tif 000003
【図２】
2019164277.tif 000004
【図３】
2019164277.tif 000005
【図４】
2019164277.tif 000006
【図５】
2019164277.tif 000007
【図６】
2019164277.tif 000008
【図７】
2019164277.tif 000009
【図８】
2019164277.tif 000010
【図９】
2019164277.tif 000011
【図１０】
2019164277.tif 000012
【図１１】
2019164277.tif 000013
【図１２】
2019164277.tif 000014
【図１３】
2019164277.tif 000015
【図１４】
2019164277.tif 000016
【図１５】
2019164277.tif 000017
【図１６】
2019164277.tif 000018
【図１７】
2019164277.tif 000019
【図１８】
2019164277.tif 000020
【図１９】
2019164277.tif 000021
【図２０】
2019164277.tif 000022
【図２１】
2019164277.tif 000023
【図２２】
2019164277.tif 000024
【図２３】
2019164277.tif 000025
【図２４】
2019164277.tif 000026
【図２５】
2019164277.tif 000027
【図２６】
2019164277.tif 000028